(57)【要約】【課題】構成部品を共用して簡略化を図ることができる水道ホーススタンドを提供する。【解決手段】水道ホース７０の先端部又は水道ホース７０の先端に取り付けられた散水ノズル７５を保持するホールド部１と、ホールド部１を支持する支持部５０とからなる水道ホーススタンドである。ホールド部１は、散水ノズル７５を嵌着又は水道ホース７０の先端部をガイドする略円筒状の大円筒部１０と、水道ホース７０の先端部を挿着する略円筒状の小円筒部１５とを有している。小円筒部１５は、大円筒部１０の径より小さい径を有し、大円筒部１０と軸方向を一致させて大円筒部１０の軸１０ａ方向に隣接して配設され、大円筒部１０の径方向外側であって大円筒部１０の軸１０ａと直角方向に延びる回動軸を軸心として回動する。【選択図】図１
2020008099.tif 000002
【特許請求の範囲】
【請求項１】
水道ホースの先端部又は該水道ホースの先端に取り付けられた散水ノズルを保持するホールド部と、該ホールド部を支持する支持部とからなる水道ホーススタンドにおいて、
該ホールド部は、該散水ノズルを嵌着又は該水道ホースの先端部をガイドする略円筒状の大円筒部と、該水道ホースの先端部を挿着する略円筒状の小円筒部とを有し、
該小円筒部は、該大円筒部の径より小さい径を有し、該大円筒部と軸方向を一致させて該大円筒部の軸方向に隣接して配設され、該大円筒部の径方向外側であって該大円筒部の軸と直角方向に延びる回動軸を軸心として回動することを特徴とする水道ホーススタンド。
【請求項２】
水道ホースの先端部又は該水道ホースの先端に取り付けられた散水ノズルを保持するホールド部と、該ホールド部を支持する支持部とからなる水道ホーススタンドにおいて、
該ホールド部は、該散水ノズルを嵌着又は該水道ホースの先端部をガイドする略円筒状の大円筒部と、該水道ホースの先端部を挿着する略円筒状の小円筒部とを有し、
該小円筒部は、該大円筒部の径より小さい径を有し、該大円筒部と軸方向を一致させて該大円筒部の軸方向に隣接して配設され、該大円筒部の径方向外側であって該大円筒部の軸と平行方向に延びる回動軸を軸心として回動することを特徴とする水道ホーススタンド。
【請求項３】
前記大円筒部の前記小円筒部側の一端の一部には、該大円筒部の軸方向に連続して該小円筒部を覆う位置まで延びる延長壁が形成され、
該小円筒部は、該小円筒部の外周面に突設された凸部と該延長壁の内周面に凹設された凹部とが係合することにより、該大円筒部に着脱可能に係着されることを特徴とする請求項２記載の水道ホーススタンド。
【請求項４】
前記大円筒部の前記小円筒部側の一端の一部には、該大円筒部の軸方向に連続して該小円筒部を覆う位置まで延びる延長壁が形成され、
該延長壁の内周面には、該大円筒部の軸方向に延びる第１凹凸が内周面に形成されたストッパガイドが周方向に密着して設けられ、
該ストッパガイドには、該大円筒部の一端の内周面に沿って該ストッパガイドから突出可能なストッパプレートが内蔵され、該ストッパプレートには、該第１凹凸と噛合して該大円筒部の軸方向に延びる第２凹凸が形成され、
該小円筒部は、該小円筒部の外周面に突設された凸部と該ストッパプレートの内周面に凹設された凹部とが係合することにより、該大円筒部に着脱可能に係着されることを特徴とする請求項２記載の水道ホーススタンド。
【請求項５】
前記大円筒部には、水道ホースを挿着可能な内筒が嵌着されることを特徴とする請求項１乃至４のいずれか１項記載の水道ホーススタンド。
【請求項６】
前記大円筒部には、前記一端から他端まで軸方向に切り欠いた開口部が形成され、該開口部から前記散水ノズルを該大円筒部に挿入して取り付け可能であることを特徴とする請求項１乃至５のいずれか１項記載の水道ホーススタンド。
【発明の詳細な説明】
【技術分野】
【０００１】
本発明は、水道ホースの先端部及び水道ホースの先端に取り付けられた散水ノズルを保持する水道ホーススタンドに関する。
【背景技術】
【０００２】
従来、水道ホースの先端部及び水道ホースの先端に取り付けられた散水ノズルを保持する水道ホーススタンドとして、特許文献１に示されたものが知られている。この水道ホーススタンドでは、ホース支持板体（２２）の上端に環状ホース受け（２１）を設け、その下部にホース支持管（２）を設けている。そして、環状ホース受け（２１）には散水ノズルを保持することができ、ホース支持管（２）には水道ホースを保持することができる。そのため、この水道ホーススタンドによれば、水道ホースや散水ノズルを使用するに際し、両手を自由に使用することができ非常に便利である。
【０００３】
しかしながら、この水道ホーススタンドでは、水道ホースをホース支持管（２）だけで受けているため、ホース支持管（２）の端部近辺において水道ホースが折れ曲がり易く、安定して吐水させることができない。これに対し、特許文献２に示された水道ホーススタンドが提案されている。この水道ホーススタンドでは、支柱（１）の頂上部にホース受金具（３）が設けられ、ホース受金具（３）にアーム（４）を介してホース差込金具（５）が取り付けられている。また、散水ノズル保持具（６）が締付具（１１）によりホース受金具（３）に取り付けられている。そして、散水ノズルを散水ノズル保持具（６）に保持することができ、水道ホースをホース差込金具（５）に保持することができる。さらに、アーム（４）とホース受金具（３）とにより水道ホースを受けることができる。そのため、この水道ホーススタンドによれば、水道ホースがアーム（４）とホース差込金具（５）とによりガイドされるため、折れ曲がり難く安定して吐水させることができる。
【先行技術文献】
【特許文献】
【０００４】
【特許文献１】実開昭６３−１６０４８５号公報
【特許文献２】特開２００５−２７３８９２号公報
【発明の概要】
【発明が解決しようとする課題】
【０００５】
しかし、上記特許文献２に示される水道ホーススタンドでは、散水ノズルの保持には散水ノズル保持具（６）が用いられ、水道ホースの保持にはホース差込金具（５）、アーム（４）、ホース受金具（３）が用いられる。すなわち、散水ノズルの保持と水道ホースの保持とでは、全く別の構成部品が用いられ複雑になっている。このため、散水ノズルの保持、及び水道ホースの保持の両方の場合において共用できる構成部品があれば、水道ホーススタンド全体の簡略化を図ることができる。
【０００６】
本発明はかかる従来の問題点に鑑みてなされたものであり、構成部品を共用して簡略化を図ることができる水道ホーススタンドを提供するものである。
【課題を解決するための手段】
【０００７】
上記の課題を解決するために、請求項１に係る水道ホーススタンドの特徴は、水道ホースの先端部又は該水道ホースの先端に取り付けられた散水ノズルを保持するホールド部と、該ホールド部を支持する支持部とからなる水道ホーススタンドにおいて、該ホールド部は、該散水ノズルを嵌着又は該水道ホースの先端部をガイドする略円筒状の大円筒部と、該水道ホースの先端部を挿着する略円筒状の小円筒部とを有し、該小円筒部は、該大円筒部の径より小さい径を有し、該大円筒部と軸方向を一致させて該大円筒部の軸方向に隣接して配設され、該大円筒部の径方向外側であって該大円筒部の軸と直角方向に延びる回動軸を軸心として回動することである。
【０００８】
請求項２に係る水道ホーススタンドの特徴は、水道ホースの先端部又は該水道ホースの先端に取り付けられた散水ノズルを保持するホールド部と、該ホールド部を支持する支持部とからなる水道ホーススタンドにおいて、該ホールド部は、該散水ノズルを嵌着又は該水道ホースの先端部をガイドする略円筒状の大円筒部と、該水道ホースの先端部を挿着する略円筒状の小円筒部とを有し、該小円筒部は、該大円筒部の径より小さい径を有し、該大円筒部と軸方向を一致させて該大円筒部の軸方向に隣接して配設され、該大円筒部の径方向外側であって該大円筒部の軸と平行方向に延びる回動軸を軸心として回動することである。
【０００９】
請求項３に係る水道ホーススタンドの特徴は、前記大円筒部の前記小円筒部側の一端の一部には、該大円筒部の軸方向に連続して該小円筒部を覆う位置まで延びる延長壁が形成され、該小円筒部は、該小円筒部の外周面に突設された凸部と該延長壁の内周面に凹設された凹部とが係合することにより、該大円筒部に着脱可能に係着されることである。
【００１０】
請求項４に係る水道ホーススタンドの特徴は、前記大円筒部の前記小円筒部側の一端の一部には、該大円筒部の軸方向に連続して該小円筒部を覆う位置まで延びる延長壁が形成され、該延長壁の内周面には、該大円筒部の軸方向に延びる第１凹凸が内周面に形成されたストッパガイドが周方向に密着して設けられ、該ストッパガイドには、該大円筒部の一端の内周面に沿って該ストッパガイドから突出可能なストッパプレートが内蔵され、該ストッパプレートには、該第１凹凸と噛合して該大円筒部の軸方向に延びる第２凹凸が形成され、該小円筒部は、該小円筒部の外周面に突設された凸部と該ストッパプレートの内周面に凹設された凹部とが係合することにより、該大円筒部に着脱可能に係着されることである。
【００１１】
請求項５に係る水道ホーススタンドの特徴は、前記大円筒部には、水道ホースを挿着可能な内筒が嵌着されることである。
【００１２】
請求項６に係る水道ホーススタンドの特徴は、前記大円筒部には、前記一端から他端まで軸方向に切り欠いた開口部が形成され、該開口部から前記散水ノズルを該大円筒部に挿入して取り付け可能であることである。
【発明の効果】
【００１３】
請求項１に係る水道ホーススタンドは、ホールド部とホールド部を支持する支持部とからなり、ホールド部は、略円筒状の大円筒部と略円筒状の小円筒部とを有している。そして、小円筒部は、大円筒部の径より小さい径を有し、大円筒部と軸方向を一致させて大円筒部の軸方向に隣接して配設されている。また、小円筒部は、大円筒部の径方向外側であって大円筒部の軸と直角方向に延びる回動軸を軸心として回動するようになっている。すなわち、小円筒部を上方に回転させれば、大円筒部と小円筒部とを軸方向を一致させて大円筒部の軸方向に隣接して配設させることができ、小円筒部を下方に回転させれば、大円筒部の軸方向隣接部から小円筒部を外すことができる。
【００１４】
そのため、散水ノズルを使用する場合は、小円筒部を下方に回転させて大円筒部の軸方向隣接部から小円筒部を外すことにより、大円筒部に散水ノズルを嵌着することができる。また、水道ホースのみを使用する場合は、小円筒部を上方に回転させて大円筒部と小円筒部とを隣接して配設させ、水道ホースの先端部を大円筒部と小円筒部とに挿入して、大円筒部をガイドとして使用することができる。これにより、大円筒部を散水ノズルの保持、及び水道ホースの保持の両方の場合において共用することができる。したがって、この水道ホーススタンドによれば、構成部品を共用して簡略化を図ることができる。また、水道ホースのみを使用する場合には、大円筒部をガイドとして使用することができるため、水道ホースが折れ曲がり難く、安定して吐水させることができる。
【００１５】
請求項２に係る水道ホーススタンドは、ホールド部とホールド部を支持する支持部とからなり、ホールド部は、略円筒状の大円筒部と略円筒状の小円筒部とを有している。そして、小円筒部は、大円筒部の径より小さい径を有し、大円筒部と軸方向を一致させて大円筒部の軸方向に隣接して配設されている。また、小円筒部は、大円筒部の径方向外側であって大円筒部の軸と平行方向に延びる回動軸を軸心として回動するようになっている。すなわち、小円筒部を上方に回転させれば、大円筒部と小円筒部とを軸方向を一致させて大円筒部の軸方向に隣接して配設させることができ、小円筒部を下方に回転させれば、大円筒部の軸方向隣接部から小円筒部を外すことができる。
【００１６】
そのため、散水ノズルを使用する場合は、小円筒部を下方に回転させて大円筒部の軸方向隣接部から小円筒部を外すことにより、大円筒部に散水ノズルを嵌着することができる。また、水道ホースのみを使用する場合は、小円筒部を上方に回転させて大円筒部と小円筒部とを隣接して配設させ、水道ホースの先端部を大円筒部と小円筒部とに挿入して、大円筒部をガイドとして使用することができる。これにより、大円筒部を散水ノズルの保持、及び水道ホースの保持の両方の場合において共用することができる。したがって、この水道ホーススタンドによれば、構成部品を共用して簡略化を図ることができる。また、水道ホースのみを使用する場合には、大円筒部をガイドとして使用することができるため、水道ホースが折れ曲がり難く、安定して吐水させることができる。
【００１７】
請求項３に係る水道ホーススタンドにおいては、大円筒部の小円筒部側の一端の一部には、大円筒部の軸方向に連続して小円筒部を覆う位置まで延びる延長壁が形成されている。そして、小円筒部は、小円筒部の外周面に突設された凸部と延長壁の内周面に凹設された凹部とが係合することにより、大円筒部に着脱可能に係着されるようになっている。そのため、水道ホースのみを使用する場合には、小円筒部を上方に回転させて小円筒部の凸部と延長壁の凹部とを係合させれば、小円筒部を延長壁（大円筒部）に固着させることができる。これにより、水道ホース内の水圧が変化したり、水道ホースの先端部に外力が加わったり等しても、水道ホースの先端部が移動し難くなり、所定の位置に吐水し易くなる。
【００１８】
請求項４に係る水道ホーススタンドにおいては、大円筒部の小円筒部側の一端の一部には、大円筒部の軸方向に連続して小円筒部を覆う位置まで延びる延長壁が形成され、延長壁の内周面には、大円筒部の軸方向に延びる第１凹凸が内周面に形成されたストッパガイドが周方向に密着して設けられている。このストッパガイドには、大円筒部の一端の内周面に沿ってストッパガイドから突出可能なストッパプレートが内蔵されている。また、ストッパプレートには、第１凹凸と噛合して大円筒部の軸方向に延びる第２凹凸が形成されている。そのため、第１凹凸と第２凹凸とが噛合することにより、ストッパプレートはストッパガイド（大円筒部）に着脱可能に係着される。
【００１９】
また、小円筒部は、小円筒部の外周面に突設された凸条とストッパプレートの内周面に凹設された凹条とが係合することにより、延長壁（大円筒部）に着脱可能に係着されるようになっている。詳細には、水道ホースのみを使用する場合には、小円筒部を上方に回転させるとともにストッパプレートをストッパガイドから突出させて小円筒部の凸部とストッパプレートの凹部とを係合させれば、小円筒部をストッパプレートに係着させることができる。この際、ストッパガイドの第１凹凸とストッパプレートの第２凹凸とが噛合して、ストッパプレートはストッパガイドに係着されるため、小円筒部はストッパガイドを介して、延長壁（大円筒部）に適度な力で固着されることになる。これにより、水道ホース内の水圧が変化したり、水道ホースの先端部に外力が加わったり等しても、水道ホースの先端部が移動し難くなり、所定の位置に吐水し易くなる。
【００２０】
請求項５に係る水道ホーススタンドにおいては、水道ホースを挿着可能な内筒が大円筒部に嵌着される。このため、水道ホースのみを使用する場合には、水道ホースの先端部を内筒と小円筒部とに挿入することにより、水道ホースの先端部を強固に保持することができる。
【００２１】
請求項６に係る水道ホーススタンドにおいては、大円筒部には一端から他端まで軸方向に切り欠いた開口部が形成され、この開口部から散水ノズルを大円筒部に挿入して取り付けることができる。そのため、散水ノズルを大円筒部に簡単に取り付けることができ便利である。
【図面の簡単な説明】
【００２２】
【図１】実施形態１の水道ホーススタンドに係り、据え置きタイプの支持部を用いた水道ホーススタンドの斜視図。
【図２】実施形態１の水道ホーススタンドに係り、クリップタイプの支持部を用いた水道ホーススタンドの斜視図。
【図３】実施形態１の水道ホーススタンドに係り、ホールド部の正面図、及びＩＩＩ−ＩＩＩ矢視断面図。
【図４】実施形態１の水道ホーススタンドに係り、ホールド部に散水ノズルを取り付けた正面図。
【図５】実施形態１の水道ホーススタンドに係り、ホールド部に水道ホースを取り付けた正面図。
【図６】実施形態１の水道ホーススタンドに係り、内筒の斜視図、及び内筒を嵌着したホールド部に水道ホースを取り付けた正面図。
【図７】実施形態２の水道ホーススタンドに係り、ホールド部の正面図、及びＶＩＩ−ＶＩＩ矢視断面図。
【図８】実施形態３の水道ホーススタンドに係り、ホールド部の正面図、及びＶＩＩＩ−ＶＩＩＩ矢視断面図。
【図９】実施形態４の水道ホーススタンドに係り、ホールド部の正面図、及びＩＸ−ＩＸ矢視断面図。
【図１０】実施形態４の水道ホーススタンドに係り、ホールド部の一部拡大正面図、及びＸ−Ｘ矢視断面図。
【発明を実施するための形態】
【００２３】
本発明に係る水道ホーススタンドを具体化した実施形態１〜４を図面に基づいて以下に説明する。まず、実施形態１の水道ホーススタンドについて説明する。図１は、据え置きタイプの支持部５０を用いた水道ホーススタンドの斜視図である。この水道ホーススタンドは、水道ホースの先端部又は水道ホースの先端に取り付けられた散水ノズルを保持するホールド部１と、ホールド部１を支持する支持部５０とからなっている。ホールド部１は、散水ノズルを嵌着又は水道ホースの先端部をガイドする略円筒状の大円筒部１０と、水道ホースの先端部を挿着する略円筒状の小円筒部１５とを有している。また、大円筒部１０には、一端から他端まで軸方向に切り欠いた開口部１１が形成されている。
【００２４】
支持部５０は、ベースパイプ５１、傾斜パイプ５２、支持パイプ５３、脚パイプ５４、脚プレート５５を有している。ベースパイプ５１は地面等に略水平に置かれ、２本のベースパイプ５１がＶ字形に一体として連結されている。２本のベースパイプ５１の連結部には、傾斜パイプ５２が所定の角度で傾斜して上下方向に延在して一体として連結されている。この傾斜パイプ５２の上端には支持パイプ５３が配置され、支持パイプ５３内に傾斜パイプ５２が嵌入されている。支持パイプ５３は、支持パイプ５３の下端部に設けられたノブ付きボルト５３ａを緩めることにより、矢印Ａで示すように軸方向に伸縮可能であるとともに、矢印Ｂで示すように軸回りに回動可能になっている。そして、ノブ付きボルト５３ａを締めることにより、支持パイプ５３の伸縮、回動を所望の位置で止めることができる。また、支持パイプ５３の上端部に設けられたノブ付きボルト５３ｂを緩めることにより、矢印Ｃで示すようにホールド部１を回動可能である。そして、ノブ付きボルト５３ｂを締めることにより、ホールド部１の回動を所望の位置で止めることができる。
【００２５】
ベースパイプ５１の連結部と反対側の一端には脚パイプ５４が配置され、ベースパイプ５１内に脚パイプ５４が嵌入されている。脚パイプ５４は、ベースパイプ５１の一端部に設けられたノブ付きボルト５１ａを緩めることにより、矢印Ｄで示すように軸方向に伸縮可能である。そして、ノブ付きボルト５１ａを締めることにより、脚パイプ５４の伸縮を所望の位置で止めることができる。また、２本のベースパイプ５１間には脚プレート５５が地面等に接触しない状態で固着され、脚プレート５５には複数の透孔５５ａが開けられている。そのため、雨や水道水が脚プレート５５に溜まることがないようになっている。また、複数の透孔５５ａによって、水道ホーススタンドの軽量化を図ることができる。さらに、脚プレート５５にブロックや石等を置いて、水道ホーススタンドが転倒するのを防止することができる。この水道ホーススタンドをカーポートや洗い場のコンクリート床、地面等に据え置くことにより、洗車、スニーカー等の洗濯、ペットのシャンプー、子供の水遊び、農具や野菜洗い等に用いることができる。
【００２６】
図２は、クリップタイプの支持部６０を用いた水道ホーススタンドの斜視図である。この水道ホーススタンドは、水道ホースの先端部又は水道ホースの先端に取り付けられた散水ノズルを保持するホールド部１と、ホールド部１を支持する支持部６０とからなっている。ホールド部１は、図１に示したものと同様であり、その説明を省略する。
【００２７】
支持部６０は、ベースプレート６１、ガイドプレート６２、傾斜パイプ６３、支持パイプ６４、スライドブロック６５、蝶ねじ６６、６７を有している。ベースプレート６１はＬ字形の板状であり、ベースプレート６１の一端には板状のガイドプレート６２が一体として設けられている。ベースプレート６１とガイドプレート６２とは、互いの幅広の面が９０度ねじれた状態になっている。また、ベースプレート６１の一端部には、傾斜パイプ６３が取り付けられている。傾斜パイプ６３は、ベースプレート６１の一端部に設けられたノブ付きボルト６１ａを緩めることにより、矢印Ｅで示すように回動可能になっている。さらに、傾斜パイプ６３の上端には支持パイプ６４が嵌入されている。支持パイプ６４は、傾斜パイプ６３の上端部に設けられたノブ付きボルト６３ａを緩めることにより、矢印Ｆで示すように軸方向に伸縮可能であるとともに、矢印Ｇで示すように軸回りに回動可能になっている。そして、ノブ付きボルト６３ａを締めることにより、支持パイプ６４の伸縮、回動を所望の位置で止めることができる。また、支持パイプ６４の上端部に設けられたノブ付きボルト６４ａを緩めることにより、ホールド部１を矢印Ｈで示すように回動可能である。そして、ノブ付きボルト６４ａを締めることにより、ホールド部１の回動を所望の位置で止めることができる。
【００２８】
スライドブロック６５は、略直方体の形状のブロック本体６５ａと、ブロック本体６５ａの下端に一体として形成された板部６５ｂとからなっている。ブロック本体６５ａにはガイドプレート６２が貫通し、スライドブロック６５はガイドプレート６２に沿って摺動可能になっている。そして、ブロック本体６５ａの上部に設けられた蝶ねじ６６を緩めると、スライドブロック６５はガイドプレート６２に沿って摺動し、蝶ねじ６６を締めるとスライドブロック６５はガイドプレート６２に固着される。また、板部６５ｂはベースプレート６１に対向した板状をなし、板部６５ｂには蝶ねじ６７が設けられている。蝶ねじ６７の先端には、ベースプレート６１に対向して円盤状の押圧プレート６７ａが取り付けられ、押圧プレート６７ａとベースプレート６１との間には間隙６７ｂが形成されている。この間隙６７ｂにカーポートの柱等の取付対象物を挟み、蝶ねじ６７を締めれば、間隙６７ｂが狭まり取付対象物に水道ホーススタンドを取り付けることができる。また、蝶ねじ６７を緩めれば、間隙６７ｂが広がり取付対象物から水道ホーススタンドを取り外すことができる。なお、取付対象物としては、カーポートの柱の他、テラス屋根の柱、流し台の縁等がある。この水道ホーススタンドを取付対象物に取り付けて、洗車、スニーカー等の洗濯、ペットのシャンプー、子供の水遊び、農具や野菜洗い等に用いることができる。
【００２９】
次に、ホールド部１を詳細に説明する。図３（１）は、大円筒部１０と小円筒部１５とを大円筒部１０の軸１０ａ方向に隣接して配設させたホールド部１の正面図である。また、図３（２）は、図３（１）におけるＩＩＩ−ＩＩＩ矢視断面図であり、図３（３）は、大円筒部１０の軸１０ａ方向隣接部から小円筒部１５を外したホールド部１の正面図である。図３（１）、（２）に示すように、ホールド部１は略円筒状の大円筒部１０と、略円筒状の小円筒部１５とを有している。大円筒部１０の上部には、一端から他端まで軸１０ａ方向に切り欠いた開口部１１が形成され、大円筒部１０の下部には、貫通孔１２ａが開けられた舌片１２が一体として固定されている。この舌片１２の貫通孔１２ａにノブ付きボルト５３ｂ、６４ａが貫通されて、ホールド部１が支持パイプ５３、６４に取り付けられる。
【００３０】
また、大円筒部１０の下部には、大円筒部１０の一端から軸１０ａ方向に突出して突出板１３が一体として固定されている。そして、突出板１３の先端部には回動軸１３ａを軸心として回動する回動板１４が取り付けられ、回動板１４には大円筒部１０の径より小さい径を有する小円筒部１５が固定されている。なお、回動軸１３ａは、大円筒部１０の径方向外側であって大円筒部１０の軸１０ａと直角方向に延びている。そのため、図３（１）において、小円筒部１５は回動軸１３ａを中心として紙面右方向上下に回動する。この図３（１）、（２）では、小円筒部１５を上方に回転させた状態であり、小円筒部１５は、大円筒部１０の軸１０ａと小円筒部１５の軸１５ａの軸方向を一致させて、大円筒部１０の軸１０ａ方向に隣接して配設された状態になっている。そして、矢印Ｉで示すように、小円筒部１５を下方に回転させれば、大円筒部１０の軸１０ａ方向隣接部から小円筒部１５を外した図３（３）に示した状態になる。
【００３１】
図４は、図１、図２に示した水道ホーススタンドのホールド部１に散水ノズル７５を取り付けた状態を示している。散水ノズル７５は、水道ホース７０の先端に取り付けられている。ホールド部１に散水ノズル７５を取り付けるには、まず、小円筒部１５を下方に回転させて、大円筒部１０の軸１０ａ方向隣接部から小円筒部１５を外しておく。そして、開口部１１から散水ノズル７５のグリップ部７６を大円筒部１０に挿入して、散水ノズル７５を大円筒部１０に取り付けることができる。このようにして、水道ホーススタンドのホールド部１に散水ノズル７５を簡単に取り付けることができるため、散水ノズル７５を便利に使用することができる。なお、大円筒部１０は、散水ノズル７５を取り付け易く、かつ水圧等で外れ難くするため、小円筒部１５側に向かって次第に内径が大きくなるテーパー形状になっている。
【００３２】
図５は、図１、図２に示した水道ホーススタンドのホールド部１に水道ホース７０を取り付けた状態を示している。ホールド部１に水道ホース７０を取り付けるには、まず、小円筒部１５を上方に回転させて、大円筒部１０の軸１０ａ方向に隣接させる。そして、水道ホース７０の先端を大円筒部１０、小円筒部１５に挿入して、水道ホース７０を大円筒部１０に取り付けることができる。この際、大円筒部１０を水道ホース７０のガイドとして使用することができるため、水道ホース７０が折れ曲がり難く、安定して吐水させることができる。
【００３３】
図６（１）は、大円筒部１０に嵌着される内筒１７の斜視図である。図６（１）に示すように、内筒１７は、外周面１８と内周面１９とを有する円筒状をなし、外周面１８には半球状の突起１８ａが複数突設されている。この突起１８ａにより、内筒１７を大円筒部１０に着脱することができるようになっている。また、内周面１９の径が水道ホース７０の外径より僅かに大きくなっているため、水道ホース７０を内筒１７に適度に保持することができとともに、水道ホース７０を内筒１７から容易に取り外すことができる。
【００３４】
図６（２）は、内筒１７を嵌着したホールド部１に水道ホース７０を取り付けた状態を示している。内筒１７を用いて、水道ホーススタンドのホールド部１に水道ホース７０を取り付けるには、まず、内筒１７を大円筒部１０に嵌着し、小円筒部１５を上方に回転させて、大円筒部１０の軸１０ａ方向に隣接させる。そして、水道ホース７０の先端を内筒１７、小円筒部１５に挿入して、水道ホース７０をホールド部１に取り付けることができる。このように内筒１７を用いることにより、水道ホース７０の先端部を強固に保持することができる。
【００３５】
実施形態１の水道ホーススタンドは、ホールド部１とホールド部１を支持する支持部５０、６０とからなり、ホールド部１は、略円筒状の大円筒部１０と略円筒状の小円筒部１５とを有している。そして、小円筒部１５は、大円筒部１０の径より小さい径を有し、大円筒部１０と軸１０ａ、１５ａ方向を一致させて大円筒部１０の軸１０ａ方向に隣接して配設されている。また、小円筒部１５は、大円筒部１０の径方向外側であって大円筒部１０の軸１０ａと直角方向に延びる回動軸１３ａを軸心として回動するようになっている。すなわち、小円筒部１５を上方に回転させれば、大円筒部１０と小円筒部１５とを軸１０ａ、１５ａ方向を一致させて大円筒部１０の軸１０ａ方向に隣接して配設させることができ、小円筒部１５を下方に回転させれば、大円筒部１０の軸１０ａ方向隣接部から小円筒部１５を外すことができる。
【００３６】
そのため、散水ノズル７５を使用する場合は、小円筒部１５を下方に回転させて大円筒部１０の軸１０ａ方向隣接部から小円筒部１５を外すことにより、大円筒部１０に散水ノズル７５を嵌着することができる。また、水道ホース７０のみを使用する場合は、小円筒部１５を上方に回転させて大円筒部１０と小円筒部１５とを隣接して配設させ、水道ホース７０の先端部を大円筒部１０と小円筒部１５とに挿入して、大円筒部１０をガイドとして使用することができる。これにより、大円筒部１０を散水ノズル７５の保持、及び水道ホース７０の保持の両方の場合において共用することができる。したがって、この水道ホーススタンドによれば、構成部品を共用して簡略化を図ることができる。また、水道ホース７０のみを使用する場合には、大円筒部１０をガイドとして使用することができるため、水道ホース７０が折れ曲がり難く、安定して吐水させることができる。
【００３７】
また、この水道ホーススタンドにおいては、水道ホース７０を挿着可能な内筒１７が大円筒部１０に嵌着される。このため、水道ホース７０のみを使用する場合には、水道ホース７０の先端部を内筒１７と小円筒部１５とに挿入することにより、水道ホース７０の先端部を強固に保持することができる。
【００３８】
さらに、この水道ホーススタンドにおいては、大円筒部１０には一端から他端まで軸１０ａ方向に切り欠いた開口部１１が形成され、この開口部１１から散水ノズル７５を大円筒部１０に挿入して取り付けることができる。そのため、散水ノズル７５を大円筒部１０に簡単に取り付けることができ便利である。
【００３９】
次に、実施形態２の水道ホーススタンドについて説明する。実施形態２の水道ホーススタンドもホールド部と支持部とからなっている。そして、支持部としては、実施形態１と同様、据え置きタイプの支持部５０、及びクリップタイプの支持部６０が用いられるため説明を省略し、ホールド部について説明する。また、ホールド部についても、実施形態１と同様の構成のものは、同じ符号を用いるものとし、その説明を省略する。
【００４０】
図７（１）は、大円筒部１０の軸１０ａ方向隣接部から小円筒部１５を下方に外したホールド部２の正面図である。また、図７（２）は、図７（１）におけるＶＩＩ−ＶＩＩ矢視断面図であり、図７（３）は、大円筒部１０と小円筒部１５とを大円筒部１０の軸１０ａ方向に隣接して配設させた断面図である。図７（１）、（２）に示すように、大円筒部１０の下部には、大円筒部１０の一端から軸１０ａと直角方向に突出して突出板２３が一体として固定されている。そして、突出板２３には、軸１０ａと平行の回動軸２３ａを軸心として回動する回動板２４が取り付けられ、回動板２４には大円筒部１０の径より小さい径を有する小円筒部１５が固定されている。
【００４１】
なお、回動軸２３ａは、大円筒部１０の径方向外側であって大円筒部１０の軸１０ａ方向に延びている。そのため、図７（１）において、小円筒部１５は回動軸２３ａを中心として紙面前後方向上下に回動する。この図７（１）、（２）では、小円筒部１５を下方に回転させ、大円筒部１０の軸１０ａ方向隣接部から小円筒部１５を外した状態になっている。そして、矢印Ｊで示すように、小円筒部１５を上方に回転させれば、小円筒部１５は、大円筒部１０の軸１０ａと小円筒部１５の軸１５ａの軸方向を一致させて、大円筒部１０の軸１０ａ方向に隣接して配設された図７（３）に示した状態になる。
【００４２】
この水道ホーススタンドも実施形態１と同様、散水ノズル７５を使用する場合は、小円筒部１５を下方に回転させて大円筒部１０の軸１０ａ方向隣接部から小円筒部１５を外すことにより、大円筒部１０に散水ノズル７５を嵌着することができる。また、水道ホース７０のみを使用する場合は、小円筒部１５を上方に回転させて大円筒部１０と小円筒部１５とを隣接して配設させ、水道ホース７０の先端部を大円筒部１０と小円筒部１５とに挿入して、大円筒部１０をガイドとして使用することができる。さらに、内筒１７を使用することもできる。
【００４３】
実施形態２の水道ホーススタンドにおいては、小円筒部１５は、大円筒部１０の径方向外側であって大円筒部１０の軸１０ａ方向に延びる回動軸２３ａを軸心として回動するようになっている。そのため、実施形態１とは、小円筒部１５の回動方向が異なる以外は全く同じであり、実施形態１と同様の作用、効果を得ることができる。
【００４４】
次に、実施形態３の水道ホーススタンドについて説明する。実施形態３の水道ホーススタンドもホールド部と支持部とからなっている。そして、支持部としては、実施形態１、２と同様、据え置きタイプの支持部５０、及びクリップタイプの支持部６０が用いられるため説明を省略し、ホールド部について説明する。また、ホールド部についても、実施形態１、２と同様の構成のものは、同じ符号を用いるものとし、その説明を省略する。
【００４５】
図８（１）は、大円筒部３０の軸３０ａ方向隣接部から小円筒部３５を下方に外したホールド部３の正面図である。また、図８（２）は、図８（１）におけるＶＩＩＩ−ＶＩＩＩ矢視断面図であり、図８（３）は、大円筒部３０と小円筒部３５とを大円筒部３０の軸３０ａ方向に隣接して配設させた断面図である。
【００４６】
図８（１）、（２）に示すように、ホールド部３は略円筒状の大円筒部３０と、略円筒状の小円筒部３５とを有している。大円筒部３０の上部には、一端から他端まで軸３０ａ方向に切り欠いた開口部３１が形成され、大円筒部３０の下部には、大円筒部３０の一端から軸３０ａと直角方向に突出して突出板３３が一体として固定されている。そして、突出板３３には、軸３０ａと平行の回動軸３３ａを軸心として回動する回動板３４が取り付けられ、回動板３４には大円筒部３０の径より小さい径を有する小円筒部３５が固定されている。小円筒部３５は軸３５ａを有し、外周面には凸部としての凸条３５ｂが軸３５ａ方向に突設されている。
【００４７】
また、大円筒部３０の小円筒部３５側の一端の半分（図８（２）において、紙面右半分）には、大円筒部３０の軸３０ａ方向に連続して小円筒部３５を覆う位置まで延びる延長壁３７が一体として形成されている。この延長壁３７の内周面には、小円筒部３５の凸条３５ｂと係合する凹部としての凹条３８が軸３０ａ方向に凹設されている。
【００４８】
回動軸３３ａは、大円筒部３０の径方向外側であって大円筒部３０の軸３０ａ方向に延びている。そのため、図８（１）において、小円筒部３５は回動軸３３ａを中心として紙面前方向上下に回動する。この図８（１）、（２）では、小円筒部３５を下方に回転させ、大円筒部３０の軸３０ａ方向隣接部から小円筒部３５を外した状態になっている。そして、矢印Ｋで示すように、小円筒部３５を上方に回転させれば、小円筒部３５は、大円筒部３０の軸３０ａと小円筒部３５の軸３５ａの軸方向を一致させて、大円筒部３０の軸３０ａ方向に隣接して配設された図８（３）に示した状態になる。この際、小円筒部３５の凸条３５ｂと延長壁３７の凹条３８とを係合させれば、小円筒部３５は大円筒部３０に着脱可能に係着される。
【００４９】
実施形態３の水道ホーススタンドにおいては、大円筒部３０の小円筒部３５側の一端の一部には、大円筒部３０の軸３０ａ方向に連続して小円筒部３５を覆う位置まで延びる延長壁３７が形成されている。そして、小円筒部３５は、小円筒部３５の外周面に突設された凸条３５ｂと延長壁３７の内周面に凹設された凹条３８とが係合することにより、大円筒部３０に着脱可能に係着されるようになっている。そのため、水道ホース７０のみを使用する場合には、小円筒部３５を上方に回転させて小円筒部３５の凸条３５ｂと延長壁３７の凹条３８とを係合させれば、小円筒部３５を延長壁３７（大円筒部３０）に固着させることができる。これにより、水道ホース７０内の水圧が変化したり、水道ホース７０の先端部に外力が加わったり等しても、水道ホース７０の先端部が移動し難くなり、所定の位置に吐水し易くなる。その他の作用、効果は実施形態２と同様である。なお、本実施形態においては、凸部、凹部として凸条３５ｂ、凹条３８を採用したが、これに限られず、例えば、１組又は複数組の半球状の突起、窪みであってもよい。
【００５０】
次に、実施形態４の水道ホーススタンドについて説明する。実施形態４の水道ホーススタンドもホールド部と支持部とからなっている。そして、支持部としては、実施形態１、２と同様、据え置きタイプの支持部５０、及びクリップタイプの支持部６０が用いられるため説明を省略し、ホールド部について説明する。また、ホールド部についても、実施形態１、２と同様の構成のものは、同じ符号を用いるものとし、その説明を省略する。
【００５１】
図９（１）は、大円筒部４０の軸４０ａ方向隣接部から小円筒部４５を下方に外したホールド部４の正面図である。また、図９（２）は、図９（１）におけるＩＸ−ＩＸ矢視断面図であり、図９（３）は、大円筒部４０と小円筒部４５とを大円筒部４０の軸４０ａ方向に隣接して配設させた断面図である。また、図１０（１）は、ホールド部４の一部拡大正面図であり、図１０（２）は、図１０（１）におけるＸ−Ｘ矢視断面図である。
【００５２】
図９、図１０に示すように、ホールド部４は略円筒状の大円筒部４０と、略円筒状の小円筒部４５とを有している。大円筒部４０の下部には、大円筒部４０の一端から軸４０ａと直角方向に突出して突出板４３が一体として固定されている。そして、突出板４３には、軸４０ａと平行の回動軸４３ａを軸心として回動する回動板４４が取り付けられ、回動板４４には大円筒部４０の径より小さい径を有する小円筒部４５が固定されている。小円筒部４５は軸４５ａを有し、外周面には凸部としての凸条４５ｂが軸４５ａ方向に突設されている。
【００５３】
また、大円筒部４０の小円筒部４５側の一端の約３分の２（図９（２）において、紙面右半分を中心として約３分の２）には、大円筒部４０の軸４０ａ方向に連続して小円筒部４５を覆う位置まで延びる延長壁４７が一体として形成されている。この延長壁４７の内周面には、大円筒部４０の軸４０ａ方向に延びる第１凹凸４８ａが内周面に形成されたストッパガイド４８が周方向に密着して設けられている（図１０（１）参照）。ストッパガイド４８には、取手４９ａを引くことにより、大円筒部４０の一端の内周面に沿ってストッパガイド４８から突出可能なストッパプレート４９が内蔵されている。そして、ストッパプレート４９には、ストッパガイド４８の第１凹凸４８ａと噛合して大円筒部４０の軸４０ａ方向に延びる第２凹凸４９ｃが形成されている（図１０（１）参照）。さらに、ストッパプレート４９には、小円筒部４５の凸条４５ｂと係合する凹部としての凹条４９ｂが軸４０ａ方向に凹設されている。なお、ストッパプレート４９とストッパガイド４８とは、第１凹凸４８ａと第２凹凸４９ｃとが噛合して、ストッパプレート４９の任意の位置で適度に係着するが、第１凹凸４８ａと第２凹凸４９ｃとが噛合する力に抗して取手４９ａを引いたり押したりすれば、ストッパプレート４９を簡単にストッパガイド４８から引き出したり、収納したりすることができる。
【００５４】
回動軸４３ａは、大円筒部４０の径方向外側であって大円筒部４０の軸４０ａ方向に延びている。そのため、図９（１）において、小円筒部４５は回動軸４３ａを中心として紙面前方向上下に回動する。この図９（１）、（２）ではお、小円筒部４５を下方に回転させ、大円筒部４０の軸４０ａ方向隣接部から小円筒部４５を外した状態になっている。そして、小円筒部４５を矢印Ｌで示すように上方に回転するとともに、取手４９ａを引いてストッパプレート４９を矢印Ｍで示すように下げると、小円筒部４５が大円筒部４０の軸４０ａと小円筒部４５の軸４５ａの軸方向を一致させて、大円筒部４０の軸４０ａ方向に隣接して配設された図９（３）に示した状態になる。この際、小円筒部４５の凸条４５ｂとストッパプレート４９の凹条４９ｂとを係合させれば、小円筒部４５をストッパプレート４９に係着させることができる。そして、ストッパガイド４８の第１凹凸４８ａとストッパプレート４９の第２凹凸４９ｃとが噛合して、ストッパプレート４９はストッパガイド４８に係着されるため、小円筒部４５は、ストッパガイド４８を介して、延長壁４７（大円筒部４０）に適度の力で固着されることになる。
【００５５】
実施形態４の水道ホーススタンドにおいては、大円筒部４０の小円筒部４５側の一端の一部には、大円筒部４０の軸４０ａ方向に連続して小円筒部４５を覆う位置まで延びる延長壁４７が形成され、延長壁４７の内周面には、大円筒部４０の軸４０ａ方向に延びる第１凹凸４８ａが内周面に形成されたストッパガイド４８が周方向に密着して設けられている。このストッパガイド４８には、大円筒部４０の一端の内周面に沿ってストッパガイド４８から突出可能なストッパプレート４９が内蔵されている。また、ストッパプレート４９には、第１凹凸４８ａと噛合して大円筒部４０の軸４０ａ方向に延びる第２凹凸４９ｃが形成されている。そのため、第１凹凸４８ａと第２凹凸４９ｃとが噛合することにより、ストッパプレート４９はストッパガイド４８（大円筒部４０）に着脱可能に係着される。
【００５６】
また、小円筒部４５は、小円筒部４５の外周面に突設された凸条４５ｂとストッパプレート４９の内周面に凹設された凹条４９ｂとが係合することにより、延長壁４７（大円筒部４０）に着脱可能に係着されるようになっている。詳細には、水道ホース７０のみを使用する場合には、小円筒部４５を上方に回転させるとともにストッパプレート４９をストッパガイド４８から突出させて小円筒部４５の凸条４５ｂとストッパプレート４９の凹条４９ｃとを係合させれば、小円筒部４５をストッパプレート４９に係着させることができる。この際、ストッパガイド４８の第１凹凸４８ａとストッパプレート４９の第２凹凸４９ｃとが噛合して、ストッパプレート４９はストッパガイド４８に係着されるため、小円筒部４５はストッパガイド４８を介して、延長壁４７（大円筒部４０）に適度な力で固着されることになる。これにより、水道ホース７０内の水圧が変化したり、水道ホース７０の先端部に外力が加わったり等しても、水道ホース７０の先端部が移動し難くなり、所定の位置に吐水し易くなる。その他の作用、効果は実施形態２と同様である。なお、本実施形態においては、凸部、凹部として凸条４５ｂ、凹条４９ｂを採用したが、これに限られず、例えば、１組又は複数組の半球状の突起、窪みであってもよい。
【００５７】
以上、本発明の水道ホーススタンドを実施形態１〜４に即して説明したが、本発明はこれらに制限されるものではなく、本発明の技術的思想に反しない限り、適宜変更して適用できることはいうまでもない。例えば、実施形態１〜３においては大円筒部１０、３０に開口部１１、３１が形成され、実施形態４においては大円筒部４０に開口部が形成されていないが、いずれの場合も開口部が形成されていても、形成されていなくてもよい。
【符号の説明】
【００５８】
１、２、３、４…ホールド部、１０、３０、４０…大円筒部、１１、３１…開口部、１３ａ、２３ａ、３３ａ、４３ａ…回動軸、１５、３５、４５…小円筒部、１７…内筒、３５ｂ、４５ｂ…凸部（凸条）、３７、４７…延長壁、３８、４９ｂ…凹部（凹条）、４８…ストッパガイド、４８ａ…第１凹凸、４９…ストッパプレート、４９ｃ…第２凹凸、５０、６０…支持部、７０…水道ホース、７５…散水ノズル。
【図１】
2020008099.tif 000003
【図２】
2020008099.tif 000004
【図３】
2020008099.tif 000005
【図４】
2020008099.tif 000006
【図５】
2020008099.tif 000007
【図６】
2020008099.tif 000008
【図７】
2020008099.tif 000009
【図８】
2020008099.tif 000010
【図９】
2020008099.tif 000011
【図１０】
2020008099.tif 000012